(57)【要約】【課題】グローブの型作りの経験が少なくても、使用者が捕球操作し易い型に容易に型付けすることができ、また、型付けしなくても購入後にすぐに使用することのできる野球用グローブを提供する。【解決手段】補給面を備えた手袋状の外皮の内部に指袋を設けてなるグローブ本体１のうち、母指挿入部１Ａに挿入された母指Ｙ１のＭＰ関節Ｐ１に相当する部位又は小指挿入部１Ｅに挿入された小指Ｙ５のＭＰ関節Ｐ５に相当する部位若しくは前記両指Ｙ１，Ｙ５のＭＰ関節Ｐ１，Ｐ５に相当する部位に、捕球面側への折り曲げ操作抵抗を低減する脆弱部Ｗ１，Ｗ２を設けてある。【選択図】図６
2012249886.tif 000002
【特許請求の範囲】
【請求項１】
捕球面を備えた手袋状の外皮の内部に指袋を設けてなるグローブ本体のうち、母指挿入部に挿入された母指のＭＰ関節に相当する部位又は小指挿入部に挿入された小指のＭＰ関節に相当する部位若しくは前記両指のＭＰ関節に相当する部位に、捕球面側への折り曲げ操作抵抗を低減する脆弱部を設けてある野球用グローブ。
【請求項２】
前記グローブ本体の小指側の脆弱部が、グローブ本体の手挿入口を形成する状態で前記外皮を構成する非捕球面側の甲皮部の母指挿入部側から延出されるベルト部と前記甲皮部の小指挿入部側部位とを、前記小指挿入部に挿入された小指のＭＰ関節に相当する部位において、捕球面側への折り曲げ操作に伴う相対姿勢変更を許容する状態で接合することにより構成されている請求項１記載の野球用グローブ。
【請求項３】
前記グローブ本体の母指側の脆弱部が、前記外皮を構成する捕球面側の掌皮部と前記指袋を構成する捕球面側の内皮との間に介装される芯材のうち、前記母指挿入部に挿入された母指のＭＰ関節に相当する部位を他の部位よりも屈曲抵抗の小さな屈曲促進部に形成することにより構成されている請求項１記載の野球用グローブ。
【請求項４】
前記ベルト部と前記甲皮部の小指挿入部側部位との接合箇所が、前記小指挿入部の中心線に対して各指挿入部に挿入された各指のＭＰ関節に相当する部位を結ぶＭＰ関節ライン方向の外方側に偏倚して配置されている請求項２記載の野球用グローブ。
【請求項５】
前記ベルト部と前記甲皮部の小指挿入部側部位との接合箇所が、紐状部材による一箇所での締め込みで構成されている請求項２又は４記載の野球用グローブ。
【請求項６】
前記ベルト部が、甲皮部の母指挿入部側から延出される第１分割ベルト部と、前記甲皮部の小指挿入部側部位に接合される第２分割ベルト部とに分割構成されているとともに、前記第１分割ベルト部と第２分割ベルト部とが長さ調整可能に接合されている請求項２、４又は５記載の野球用グローブ。
【請求項７】
前記屈曲促進部が、前記芯材における母指のＭＰ関節に相当する部位の一部又は全部を切断することにより構成されている請求項３記載の野球用グローブ。
【発明の詳細な説明】
【技術分野】
【０００１】
本発明は、野球やソフトボールなどで捕球するために手に装着して使用される野球用グローブに関する。
【背景技術】
【０００２】
従来の野球用グローブでは、捕球面を備えた手袋状の外皮の内部に指袋を設けてなるグローブ本体のうち、前記外皮を構成する非捕球面側の甲皮部の小指挿入部に、当該甲皮部の母指挿入部側に向かって突出する延長連結部が形成されているとともに、前記甲皮部の母指挿入部側から小指挿入部側に向って延出したバンド部の先端部分が、前記延長連結部の先端部分に対して実質的に相対姿勢が変更不能な状態で連結紐にてＸ字状に緊締固定されている。
【０００３】
また、前記外皮を構成する捕球面側の掌皮部と前記指袋を構成する捕球面側の内皮との間には、母指挿入部の先端側から基端部側を経由して手の手根部に相当する部位に至る領域に沿って緩衝機能を備えたフェルト等の肉厚の芯材が配設されている（例えば、特許文献１参照）。
【先行技術文献】
【特許文献】
【０００４】
【特許文献１】特開２００６−２７１７８０号公報
【発明の概要】
【発明が解決しようとする課題】
【０００５】
新品の野球用グローブは硬くて開けたり、閉じたりする操作が難しく、捕球ミスを誘発する可能性が高いため、使用者が最も捕球操作し易い型に型付けすることが行われている。
野球用グローブの型付け方法としては、例えば、オイルの塗り込みや湯揉み操作等によって皮を柔らかくするとともに、グローブ本体の母指挿入部と小指挿入部の先端同士が近接して捕球面が略三角形状となるように、グローブ本体の母指付け根部及び小指付け根部を木槌等で幾度と無く叩き込んで折れ目の癖を付け、さらに、グローブ本体の捕球面を木槌等で幾度と無く叩き込んで皮を伸ばすことにより広いポケット状に捕球面を作ることが行われている。
【０００６】
しかし、上述の野球用グローブでは、グローブ本体における母指挿入部の先端側から手の母子球に相当する部位に至る領域、及び、小指挿入部の先端側から手の小指球に相当する部位に至る領域が硬く補強されているため、グローブの型作りの経験が少ない場合では、使用者が捕球操作し易い型に型付けすることが難しい。
特に、小児が用いる場合では、手が小さいために至適な屈曲部位に曲げ操作し易く型作りするのは難しく、捕球し難いグローブになっていた。
【０００７】
本発明は、上述の実状に鑑みて為されたものであって、その主たる課題は、グローブの型作りの経験が少なくても、使用者が捕球操作し易い型に容易に型付けすることができ、また、型付けしなくても購入後にすぐに使用することのできる野球用グローブを提供する点にある。
【課題を解決するための手段】
【０００８】
本発明の野球用グローブの第１の特徴構成は、捕球面を備えた手袋状の外皮の内部に指袋を設けてなるグローブ本体のうち、母指挿入部に挿入された母指のＭＰ関節に相当する部位又は小指挿入部に挿入された小指のＭＰ関節に相当する部位若しくは前記両指のＭＰ関節に相当する部位に、捕球面側への折り曲げ操作抵抗を低減する脆弱部を設けてある点にある。
【０００９】
本願発明者は、グローブ本体の母指挿入部に挿入された母指のＭＰ関節 (中手指節間関節)の働き及び小指挿入部に挿入された小指のＭＰ関節 (中手指節間関節)の働きが、グローブの母指挿入部及び小指挿入部における各屈曲部位での曲がり易さに大きく関係していることを知見した。
この知見に基づいて、グローブ本体のうち、母指挿入部に挿入された母指のＭＰ関節に相当する部位又は小指挿入部に挿入された小指のＭＰ関節に相当する部位若しくは前記両指のＭＰ関節に相当する部位に脆弱部を設けることにより、新品の野球用グローブであっても捕球面側への折り曲げ操作を容易に行うことができる。
【００１０】
それ故に、従来のように、グローブ本体の母指付け根部及び小指付け根部を木槌等で幾度と無く叩き込んで折れ目の癖を付け必要性がない、又は折れ目の癖を付ける手数を軽減することができるから、グローブの型作りの経験が少ない場合でも、使用者が捕球操作し易い型に容易に型付けすることができる。
【００１１】
成人は浅指屈筋のみを使うことのできる選手もいるため、MP関節曲がりとPIP関節曲がりの2タイプの選手がいるが、小児は小指MP関節を屈曲させて捕球する選手がほとんどであることが判明した。小児の場合では、特に小指においては、小児は力が小さいため浅指屈筋、深指屈筋の両方を使うためＭＰ関節(中手指節間関節)だけで折り曲げ操作することになるが、このような発育段階においても、上述の如く、グローブ本体における母指のＭＰ関節に相当する部位又は小指のＭＰ関節に相当する部位若しくは前記両指のＭＰ関節に相当する部位に脆弱部を設けることにより、使用対象者が手の小さな小児であっても捕球し易い型に容易に型付けすることができる。
【００１２】
本発明の野球用グローブの第２の特徴構成は、前記グローブ本体の小指側の脆弱部が、グローブ本体の手挿入口を形成する状態で前記外皮を構成する非捕球面側の甲皮部の母指挿入部側から延出されるベルト部と前記甲皮部の小指挿入部側部位とを、前記小指挿入部に挿入された小指のＭＰ関節に相当する部位において、捕球面側への折り曲げ操作に伴う相対姿勢変更を許容する状態で接合することにより構成されている点にある。
【００１３】
上記構成によれば、前記外皮を構成する非捕球面側の甲皮部の母指挿入部側から延出されるベルト部と前記甲皮部の小指挿入部側部位との接合位置を、小指挿入部に挿入された小指のＭＰ関節に相当する部位に変更し、且つ、ベルト部と甲皮部の小指挿入部側部位とを、小指のＭＰ関節による捕球面側への折り曲げ操作に伴う両者の相対姿勢変化を許容する状態で結合するだけの改良で済むので、従来に近い生産性を維持することができ、型作りの容易な野球用グローブを製造コスト面で有利に製作することができる。
【００１４】
本発明の野球用グローブの第３の特徴構成は、前記グローブ本体の母指側の脆弱部が、前記外皮を構成する捕球面側の掌皮部と前記指袋を構成する捕球面側の内皮との間に介装される芯材のうち、前記母指挿入部に挿入された母指のＭＰ関節に相当する部位を他の部位よりも屈曲抵抗の小さな屈曲促進部に形成することにより構成されている点にある。
【００１５】
上記構成によれば、前記外皮を構成する捕球面側の掌皮部と前記指袋を構成する捕球面側の内皮との間に介装される芯材の一部である母指のＭＰ関節に相当する部位を屈曲促進部に形成するだけの改良で済むので、前記グローブ本体を構成する外皮及び指袋の製作工程数の増加を抑制することができ、型作りの容易な野球用グローブを製造コスト面で有利に製作することができる。
【００１６】
本発明の野球用グローブの第４の特徴構成は、前記ベルト部と前記甲皮部の小指挿入部側部位との接合箇所が、前記小指挿入部の中心線に対して各指挿入部に挿入された各指のＭＰ関節に相当する部位を結ぶＭＰ関節ライン方向の外方側に偏倚して配置されている点にある。
【００１７】
上記構成によれば、前記ベルト部と甲皮部の小指挿入部側部位との相対向する部位のうち、前記接合箇所からＭＰ関節ライン方向の内方側の自由端までの寸法が偏芯代の分だけ長くなり、グローブ本体の小指挿入部におけるＭＰ関節相当部位での屈曲操作をより容易に行うことができる。
【００１８】
本発明の野球用グローブの第５の特徴構成は、前記ベルト部と前記甲皮部の小指挿入部側部位との接合箇所が、紐状部材による一箇所での締め込みで構成されている点にある。
【００１９】
上記構成によれば、前記ベルト部と前記甲皮部の小指挿入部側部位との接合箇所が、紐状部材による複数箇所での締め込みで構成されている場合に比して、グローブ本体の小指挿入部におけるＭＰ関節相当部位での屈曲操作をより容易に行うことができる。
【００２０】
本発明の野球用グローブの第６の特徴構成は、前記ベルト部が、甲皮部の母指挿入部側から延出される第１分割ベルト部と、前記甲皮部の小指挿入部側部位に接合される第２分割ベルト部とに分割構成されているとともに、前記第１分割ベルト部と第２分割ベルト部とが長さ調整可能に接合されている点にある。
【００２１】
上記構成によれば、型作りの容易化を図りながら、使用者の手の大きさに応じてグローブ本体の手挿入口の大きさを調整することができる。
【００２２】
本発明の野球用グローブの第７の特徴構成は、前記屈曲促進部が、前記芯材における母指のＭＰ関節に相当する部位の一部又は全部を切断することにより構成されている点にある。
【００２３】
上記構成によれば、前記芯材における母指のＭＰ関節相当部位の一部又は全部を切断するだけであるから、前記型作りの容易な野球用グローブを製造コスト面で一層有利に製作することができる。
【図面の簡単な説明】
【００２４】
【図１】本願発明の第１実施形態を示す野球用グローブの背面図
【図２】野球用グローブの正面図
【図３】野球用グローブの小指側から見た側面図（ａ）と要部の分解斜視図（ｂ）
【図４】グローブ本体を構成する外皮と指袋との分離時の斜視図
【図５】指袋の掌皮部と芯材との配置関係を示す平面図（ａ）とそれのＶｂ−Ｖｂ線拡大断面図
【図６】グローブ本体と手のＭＰ関節との関係を示す背面図
【図７】本願発明の第２実施形態を示す野球用グローブの小指側から見た側面図
【図８】本願発明の第３実施形態を示す要部の分解斜視図
【発明を実施するための形態】
【００２５】
〔第１実施形態〕
図１〜図６に示す野球用グローブは、母指挿入部（第１指挿入部）１Ａ、示指挿入部（第２指挿入部）１Ｂ、中指挿入部（第３指挿入部）１Ｃ、環指挿入部（第４指挿入部）１Ｄ、小指挿入部（第５指挿入部）１Ｅを有する手袋状のグローブ本体１と、このグローブ本体１の母指挿入部１Ａと示指挿入部１Ｂとの間に配設される皮革製の捕球用ウェブ２とを紐状部材の一例である皮革製の連結紐３により連結して構成されている。
【００２６】
前記グローブ本体１は、捕球面を構成する手袋状の外皮４の内部に指が嵌り込む指袋５を設けてなり、前記母指挿入部１Ａに挿入された母指Ｙ１のＭＰ関節Ｐ１に相当する部位及び小指挿入部１Ｅに挿入された小指Ｙ５のＭＰ関節Ｐ５に相当する部位の各々に、捕球面側への折り曲げ操作抵抗を低減する脆弱部Ｗ１、Ｗ２が設けられている。
【００２７】
前記外皮４は、手形状に裁断された補給面側の掌皮部４Ａと同じく手形状に裁断された非捕球面側の甲皮部４Ｂとを手袋状に縫着して構成されている。
【００２８】
前記甲皮部４Ｂの手挿入口６側の開口端縁で、且つ、人差指挿入部１Ｂの基端縁１ｂから小指挿入部１Ｅの基端縁１ｅまでの領域の開口端縁が、図４、図６に示すように、各指挿入部１Ａ〜１Ｅに挿入された各指Ｙ１〜Ｙ５のＭＰ関節(中手指節間関節)Ｐ１〜Ｐ５に相当する部位を結ぶＭＰ関節ラインＲに略沿う又はそれに近い状態で沿う半径の大きな緩やかな円弧状に形成されている。
【００２９】
前記甲皮部４Ｂにおける小指挿入部１Ｅの基端縁１ｅの外側角部は、前記ＭＰ関節ラインＲの湾曲方向とは逆アールの円弧状に形成されているとともに、前記甲皮部４Ｂにおける母指挿入部１Ａの基端部１ａには、甲皮部４Ｂにおける小指挿入部１Ｅの基端縁１ｅ側に向って延出される皮革製の帯状のベルト部７の基端部７ａが縫着されている。
【００３０】
このベルト部７は、甲皮部４Ｂの母指挿入部１Ａ側から延出される第１分割ベルト部７Ａと、前記甲皮部４Ｂにおける小指挿入部１Ｅの基端側部位に接合される第２分割ベルト部７Ｂとに分割構成されているとともに、前記第１分割ベルト部７Ａと第２分割ベルト部７Ｂとが長さ調整可能に接合されている。
【００３１】
具体的には、前記第１分割ベルト部７Ａの連結部分に二列状態で形成された合計８つの紐挿通孔７ｂと、第２分割ベルト部７Ｂの連結部分に二列状態で形成された合計４つの紐挿通孔７ｃとに対して、紐状部材の一例である皮革製の連結紐３の挿通位置を選択することにより、ベルト部７の長さを二段階（複数段階）に調整可能なベルト長さ調整手段が構成されている。
【００３２】
前記指袋５は、図４に示すように、着用者の手掌面に対する接触面を備えた略手形状の内皮８に、当該内皮８の手甲側面との間に各指Ｙ１〜Ｙ５の挿入空間を区画形成する皮革や繊維製等の指挿入空間形成用可撓体、具体的には、母指挿入空間形成用可撓体９Ａ、示指挿入空間形成用可撓体９Ｂ、中指挿入空間形成用可撓体９Ｃ、環指挿入空間形成用可撓体９Ｄ、小指挿入空間形成用可撓体９Ｅを縫着して構成されている。
【００３３】
前記内皮８の示指形成部８Ａと中指形成部８Ｂ及び環指形成部８Ｃの各捕球面側には、各指形成部８Ａ〜８Ｃの先端から突出してこれに対応する外皮４側の各指挿入部１Ｂ〜１Ｄ内の奥側に挿入配置される緩衝機能を備えたフェルト状の指芯１０Ａ〜１０Ｃが縫着されているとともに、前記指芯１０Ａ〜１０Ｃの突出先端部側の手甲側面には反り防止用の補強皮１１Ａ〜１１Ｃが縫着されている。
【００３４】
前記外皮４の掌皮部４Ａと前記指袋５を構成する捕球面側の内皮８との間には、グローブ本体１における母指挿入部１Ａ内の先端側から当該母指挿入部１Ａの基端部を経由して手の母子球に相当する部位に至る領域に配置される帯状厚肉の第１芯材１３と、グローブ本体１における小指挿入部１Ｅ内の先端側から当該小指挿入部１Ｅの基端部に至る領域に配置される帯状厚肉の第２芯材１４とが介装され、この両芯材１３，１４とグローブ本体１とが紐状部材の一例である皮革製の連結紐３で緊締固定されている。
【００３５】
前記グローブ本体１の母指側の脆弱部Ｗ１が、前記第１芯材１３のうち、前記母挿入部１Ａに挿入された母指Ｙ１のＭＰ関節Ｐ１に相当する部位を他の部位よりも屈曲抵抗の小さな屈曲促進部に形成することにより構成されている。
【００３６】
前記屈曲促進部は、図５に示すように、前記第１芯材１３における母指Ｙ１のＭＰ関節Ｐ１に相当する部位の一部を切断することにより構成されている。
つまり、前記第１芯材１３の中間層となる緩衝機能を備えたフェルト１３Ａを、母指Ｙ１のＭＰ関節Ｐ１に相当する部位で切断分離し、このフェルト１３Ａの分割フェルト体１３Ａａ，１３Ａｂの表面及び裏面にわたって、表面層を構成する両不織布１３Ｂを当て付けて縫着することにより、両分割フェルト体１３Ａａ，１３Ａｂを一つのフェルト１３Ａとして取り扱うことができるように構成されている。
【００３７】
尚、前記第１芯材１３を、母指Ｙ１のＭＰ関節Ｐ１に相当する部位で完全に切断分離しても良く、また、前記第１芯材１３の中間層となるフェルト１３Ａに、フェルト１３Ａの厚みよりも小なる切込み深さで一つ又は複数の切込みを形成してもよい。
【００３８】
また、前記フェルト１３Ａの両分割フェルト体１３Ａａ，１３Ａｂのうち、前記母指挿入部１Ａに対応する一方の分割フェルト体１３Ａａの厚みが、手の母子球に相当する部位に配設される他方の分割フェルト体１３Ａｂの厚みよりも大に構成されているとともに、前記母指挿入部１Ａ側の一方の分割フェルト体１３Ａａと捕球面側に位置する不織布１３Ｂとの対面間には、反り防止用の樹脂板１３Ｃが介装されている。
【００３９】
前記第１芯材１３の小指挿入部１Ｅ側の端部１３ａは、小指Ｙ５のＭＰ関節Ｐ５に相当する部位よりも少し母指挿入部１Ａ側に偏倚した部位に配置され、前記第２芯材１４の母指挿入部１Ａ側の端部１４ａは、小指Ｙ５のＭＰ関節Ｐ５に相当する部位よりも少し小指挿入部１Ｅの先端側に偏倚した部位に配置されている。
【００４０】
そのため、小指Ｙ５のＭＰ関節Ｐ５に相当する部位を挟んで相対向する第１芯材１３の端部１３ａと第２芯材１４の端部１４ａとの隣接間に形成される空隙Ｓが、小指挿入部１Ｅに挿入された小指Ｙ５のＭＰ関節Ｐ５に相当する部位に設けられる捕球面側への折り曲げ操作抵抗を低減する脆弱部Ｗ２の一部を構成している。
【００４１】
前記第２芯材１４は、中間層となる緩衝機能を備えたフェルトの表裏に表面層を構成する両不織布１３Ｂを当て付けて縫着することにより構成されている。
【００４２】
前記グローブ本体１の小指側に設けられる脆弱部Ｗ２の主体は、図３に示すように、前記ベルト部７の第２分割ベルト部７Ｂと前記甲皮部４Ｂの小指挿入部１Ｅの基端部とを、前記小指挿入部１Ｅに挿入された小指Ｙ５のＭＰ関節Ｐ５に相当する部位において、捕球面側への折り曲げ操作に伴う相対姿勢変更を許容する状態で連結紐３にて接合することにより構成されている。
【００４３】
詳しくは、前記甲皮部４Ｂの小指挿入部１Ｅの外側縁に沿って形成されている紐挿通孔４ｂのうち、小指挿入部１Ｅの中心線Ｚに対してＭＰ関節ラインＲ方向の外方側に偏倚した最基端側に形成されている一つの紐挿通孔４ｂと、第２分割ベルト部７Ｂの周縁で、小指挿入部１Ｅの中心線Ｚに対してＭＰ関節ラインＲ方向の外方側に偏倚した外側縁に沿って形成されている二つの紐挿通孔７ｄのうち、小指挿入部１Ｅの基部側に位置する一つの紐挿通孔７ｄとにわたって連結紐３を挿通して結合してある。
【００４４】
そのため、前記ベルト部７の第２分割ベルト部７Ｂと甲皮部４Ｂの小指挿入部１Ｅの基端部との相対向する部位のうち、前記連結紐３で緊締固定される接合箇所からＭＰ関節ラインＲ方向の内方側の自由端までの寸法が偏芯代の分だけ長くなり、且つ、前記第２分割ベルト部７Ｂと甲皮部４Ｂの小指挿入部１Ｅの基端部とが、連結紐を３による一箇所での締め込みで緊締固定されているため、例えば、前記第２分割ベルト部７Ｂと前記甲皮部４Ｂの小指挿入部１Ｅの基端部とが、ＭＰ関節ラインＲ方向の複数箇所で緊締固定されている場合に比して、グローブ本体１の小指挿入部１ＥにおけるＭＰ関節Ｐ５相当部位での屈曲操作をより容易に行うことができる。
【００４５】
前記第２分割ベルト部７Ｂの外側縁に形成された他方の紐挿通孔７ｄは、前記掌皮部４Ａに形成されている多数の紐挿通孔４ａのうちの対応する一つと連結紐３にて緊締固定されている。
【００４６】
前記第２分割ベルト部７Ｂには、前記小指挿入部１Ｅ内に入り込む細幅の延長ベルト部７ｅが一体形成され、この延長ベルト部７ｅの先端に形成された紐挿通孔７ｆには、外皮４と指袋５とを結合する連結紐３の一部で、前記甲皮部４Ｂの基端部の中心線Ｚ側に寄った位置にある紐挿通孔４ｂに挿通されている連結紐３を挿通して締付け固定されている。
【００４７】
〔第２実施形態〕
上述の第１実施形態では、前記ベルト部７を、甲皮部４Ｂの母指挿入部１Ａ側から延出される第１分割ベルト部７Ａと、前記甲皮部４Ｂにおける小指挿入部１Ｅの基端側部位に接合される第２分割ベルト部７Ｂとに分割構成したが、図７に示すように、甲皮部４Ｂの母指挿入部１Ａ側から延出された一つのベルト部７の先端部を、第１実施形態と同じ形態で甲皮部４Ｂにおける小指挿入部１Ｅの基端側部位に接合してもよい。
【００４８】
尚、その他の構成は、第１実施形態で説明した構成と同一であるから、同一の構成箇所には、第１実施形態と同一の番号を付記してそれの説明は省略する。
また、この第２実施形態において、前記甲皮部４Ｂの親指挿入部１Ａの基端部とベルト部７の基端部との間に、ベルト部７の長さを複数段階に調整可能なベルト長さ調整手段を設けてもよい。
【００４９】
〔第３実施形態〕
上述の第１実施形態では、前記ベルト部７の第２分割ベルト部７Ｂに、前記小指挿入部１Ｅ内に入り込む細幅の延長ベルト部７ｅを一体形成したが、図８に示すように、前記延長ベルト部７ｅを省略して実施してもよい。
【００５０】
尚、その他の構成は、第１実施形態で説明した構成と同一であるから、同一の構成箇所には、第１実施形態と同一の番号を付記してそれの説明は省略する。
【００５１】
〔その他の実施形態〕
（１）上述の各実施形態では、前記グローブ本体１の母指挿入部１Ａに挿入された母指Ｙ１のＭＰ関節Ｐ１に相当する部位及び小指挿入部１Ｅに挿入された小指Ｙ５のＭＰ関節Ｐ５に相当する部位の各々に、捕球面側への折り曲げ操作抵抗を低減する脆弱部Ｗ１、Ｗ２を設けたが、前記グローブ本体１の母指挿入部１Ａに挿入された母指Ｙ１のＭＰ関節Ｐ１に相当する部位のみに、捕球面側への折り曲げ操作抵抗を低減する脆弱部Ｗ１を設けてもよく、さらに、前記グローブ本体１の小指挿入部１Ｅに挿入された小指Ｙ５のＭＰ関節Ｐ５に相当する部位のみに、捕球面側への折り曲げ操作抵抗を低減する脆弱部Ｗ２を設けてもよい。
【００５２】
（２）前記脆弱部Ｗ１、Ｗ２を構成する手法として、上述の各実施形態では、甲皮部４Ｂにおける小指挿入部１Ｅの基端側部位とベルト部７とを、小指挿入部１Ｅに挿入された小指Ｙ５のＭＰ関節Ｐ５に相当する部位において、捕球面側への折り曲げ操作に伴う相対姿勢変更を許容する状態で接合する方法、前記グローブ本体１内に設けられている芯材１３における母指Ｙ１のＭＰ関節Ｐ１に相当する部位の一部又は全部を切断する方法、前記グローブ本体１内に設けられている複数の芯材１３、１４間に形成される空隙Ｓを、小指Ｙ５のＭＰ関節Ｐ５に相当する部位に配置する方法を例示したが、この方法に限定されるものではなく、例えば、甲皮部４Ｂにおける小指挿入部１Ｅの基端側部位とベルト部７とを弾性体を介して連結する方法、或いは、前記グローブ本体１における母指Ｙ１のＭＰ関節Ｐ１に相当する部位又は小指Ｙ５のＭＰ関節Ｐ５に相当する部位にスリット状の切込みを入れる方法等を採用してもよい。
【００５３】
（３）上述の各実施形態では、前記屈曲促進部を、前記芯材13における母指Ｙ１のＭＰ関節Ｐ１に相当する部位の一部又は全部を切断することにより構成したが、例えば、前記芯材13における母指Ｙ１のＭＰ関節Ｐ１に相当する部位に他の部位よりも屈曲抵抗の小さな弾性体を設けて、前記屈曲促進部を構成してもよい。
【００５４】
（４）前記グローブ本体１の指袋５の内面に、母指挿入部１Ａに挿入された母指Ｙ１のＭＰ関節Ｐ１に相当する部位及び小指挿入部１Ｅに挿入された小指Ｙ５のＭＰ関節Ｐ５に相当する部位を目視確認可能な状態で表示する指標線等のＭＰ関節表示部を設けてもよい。
【００５５】
（５）野球用グローブとしては、前記グローブ本体１を構成する外皮４及び指袋５の一部に樹脂が用いられているものであってもよい。
【産業上の利用可能性】
【００５６】
本願発明は、型付けしなくても購入後にすぐ使用できる野球用グローブとして、また、グローブの型作りの経験が少なくても、使用者が捕球操作し易い型に容易に型付けすることのできる野球用グローブとして良好に利用することができる。
【符号の説明】
【００５７】
Ｐ１      母指のＭＰ関節
Ｐ２      示指のＭＰ関節
Ｐ３      中指のＭＰ関節
Ｐ４      環指のＭＰ関節
Ｐ５      小指のＭＰ関節
Ｒ        ＭＰ関節ライン
Ｗ１      母指側の脆弱部
Ｗ２      小指側の脆弱部
Ｙ１      母指
Ｙ２      示指
Ｙ３      中指
Ｙ４      環指
Ｙ５      小指
Ｚ        中心線
１        グローブ本体
１Ａ      母指挿入部
１Ｂ      示指挿入部
１Ｃ      中指挿入部
１Ｄ      環指挿入部
１Ｅ      小指挿入部
３        紐状部材（連結紐）
４        外皮
４Ａ      掌皮部
４Ｂ      甲皮部
５        指袋
６        手挿入口
７        ベルト部
７Ａ      第１分割ベルト部
７Ｂ      第２分割ベルト部
８        内皮
１３      芯材（第１芯材）
【図１】
2012249886.tif 000003
【図２】
2012249886.tif 000004
【図３】
2012249886.tif 000005
【図４】
2012249886.tif 000006
【図５】
2012249886.tif 000007
【図６】
2012249886.tif 000008
【図７】
2012249886.tif 000009
【図８】
2012249886.tif 000010